(57)【要約】【課題】興趣性の高いワープ機構を備えた弾球遊技機を提供する。【解決手段】遊技盤１の遊技領域４に打ち出された遊技球をステージ７へ誘導するワープ機構を備えた弾球遊技機において、前記ワープ機構が、ステージ７より上部に設けられたワープ入口１０と、ステージ７より下部に設けられたワープ出口１１と、これらワープ入口１０とワープ出口１１を連通するガイド通路１２とを有し、このガイド通路１２がステージ７の裏面側を横切るように遊技盤１の裏面側の隙間Ｓ内に配設される構成とした。【選択図】図１
2008295856.tif 000002
【特許請求の範囲】
【請求項１】
透明材料からなる遊技盤と、この遊技盤の裏面側に隙間を介して対向配置された液晶表示装置とを備え、前記遊技盤の前面に遊技球の入賞経路となるステージが設けられていると共に、このステージに向けて遊技球を誘導するワープ機構が設けられている弾球遊技機において、
前記ワープ機構が、前記ステージより上部に設けられたワープ入口と、前記ステージより下部に設けられたワープ出口と、これらワープ入口とワープ出口を連通するガイド通路とを有し、前記ガイド通路が前記ステージを横切るように前記遊技盤の裏面側の前記隙間内に設けられていることを特徴とする弾球遊技機。
【請求項２】
請求項１の記載において、前記ガイド通路が前記遊技盤の前面から前記ステージに向かって湾曲状に突出する排出筒部を有し、この排出筒部の先端に前記ワープ出口が設けられていることを特徴とする弾球遊技機。
【請求項３】
請求項２の記載において、前記排出筒部の底面に排出孔が設けられており、前記ワープ出口から飛び出すことのできなかった遊技球を前記排出孔から前記遊技盤の前面に排出するようにしたことを特徴とする弾球遊技機。
【請求項４】
請求項１の記載において、前記ガイド通路が前記ワープ出口に通じるメイン通路と別の排出口に通じるサブ通路とを有していると共に、これらメイン通路とサブ通路の分岐箇所に遊技球の振り分け装置が設けられていることを特徴とする弾球遊技機。
【発明の詳細な説明】
【技術分野】
【０００１】
本発明は、遊技盤の盤面に打ち出された遊技球をステージに向けて誘導するワープ機構を備えた弾球遊技機に関するものである。
【背景技術】
【０００２】
従来よりパチンコ機などの弾球遊技機において、遊技盤の中央部に配置された液晶表示装置（ＬＣＤ）の下方にステージと呼ばれる入賞経路を設け、遊技盤の前面の遊技領域に打ち出された遊技球を取り込んだのちに、この遊技球をステージ上に誘導して始動入賞口へ向けて流下するようにしたワープ機構を備えた機種が知られている（例えば、特許文献１参照）。このワープ機構は、液晶表示装置の側方位置に開設されたワープ入口と、ワープ入口に取り込まれた遊技球をステージ上に誘導するガイド通路とによって構成されており、ガイド通路は液晶表示装置の側縁部に沿って遊技盤の裏面側に設けられている。
【０００３】
このようなワープ機構を備えた弾球遊技機によれば、ワープ入口に取り込まれた遊技球が入賞経路であるステージまで確実に誘導されるため、遊技者に入賞の期待感を抱かせることができると共に、ワープ入口に取り込まれた遊技球が遊技盤の前面から一旦消えたのち、ガイド通路の端部（ワープ出口）から飛び出してステージ上に再度出現するため、遊技球が釘による流れとは異なる流下経路となり、興趣性に富んだ遊技を実現できるようになっている。
【特許文献１】特開平８−１２６７４１号公報
【発明の開示】
【発明が解決しようとする課題】
【０００４】
しかしながら、前述した従来のワープ機構では、遊技盤の裏面側に設けらたガイド通路が液晶表示装置の側縁部に沿って上下方向へ延びており、ワープ入口に取り込まれた遊技球がこのガイド通路内を下降してステージ上へ飛び出すようになっているため、ワープ出口から飛び出した遊技球の動きが単調となり、遊技の興趣性を高めるという点で改善の余地があった。
【０００５】
本発明は、このような従来技術の実情に鑑みてなされたもので、その目的は、興趣性の高いワープ機構を備えた弾球遊技機を提供することにある。
【課題を解決するための手段】
【０００６】
上記の目的を達成するために、本発明は、透明材料からなる遊技盤と、この遊技盤の裏面側に隙間を介して対向配置された液晶表示装置とを備え、前記遊技盤の前面に遊技球の入賞経路となるステージが設けられていると共に、このステージに向けて遊技球を誘導するワープ機構が設けられている弾球遊技機において、前記ワープ機構が、前記ステージより上部に設けられたワープ入口と、前記ステージより下部に設けられたワープ出口と、これらワープ入口とワープ出口を連通するガイド通路とを有し、前記ガイド通路が前記ステージを横切るように前記遊技盤の裏面側の前記隙間内に設けられている構成とした。
【０００７】
このように構成された弾球遊技機においては、遊技盤の前面に打ち出された遊技球がステージより上部に設けられたワープ入口に取り込まれると、この遊技球は遊技盤の裏面側に存在する隙間内に設けられたガイド通路を通過したのち、ステージより下部に設けられたワープ出口から上方へ向かって飛び出すが、ステージの裏面側を横切るように配設された全長の長いガイド通路によって、ガイド通路を通過する遊技球に十分な加速度が付与されるため、遊技球はワープ出口から勢い良く上方へ飛び出してステージに乗り上げる。
【０００８】
上記の構成において、ガイド通路が遊技盤の前面からステージに向かって湾曲状に突出する排出筒部を有し、この排出筒部の先端にワープ出口が設けられていると、ガイド通路内を通過する遊技球の転動方向を排出筒部によって円滑に方向変換することができて好ましい。この場合において、排出筒部の底面に排出孔が設けられており、ワープ出口から飛び出すことのできなかった遊技球を排出孔から遊技盤の前面に排出するようにすると、ガイド通路内で失速した遊技球の球詰まりを確実に防止することができる。
【０００９】
また、上記の構成において、ガイド通路がワープ出口に通じるメイン通路と別の排出口に通じるサブ通路とを有していると共に、これらメイン通路とサブ通路の分岐箇所に遊技球の振り分け装置が設けられていると、ワープ入口に取り込まれた遊技球が振り分け装置を通過する様子や、ワープ出口からステージに向かって飛び出す様子を目視することができるため、遊技者に与える退屈感を軽減することができる。
【発明の効果】
【００１０】
本発明の弾球遊技機は、遊技盤の前面に打ち出された遊技球を取り込んでステージに誘導するワープ機構を備えており、このワープ機構が、ステージより上部に設けられたワープ入口と、ステージより下部に設けられたワープ出口と、これらワープ入口とワープ出口を連通するガイド通路とを有し、このガイド通路がステージを横切るように遊技盤の裏面側の隙間内に設けられているので、ワープ入口に取り込まれた遊技球は遊技盤の裏面側に介在するガイド通路を通過したのち、ワープ出口から勢い良く上方へ飛び出してステージに乗り上げることとなり、ステージに乗り上げる遊技球に斬新な動きを与えて遊技の興趣性を高めることができる。
【発明を実施するための最良の形態】
【００１１】
発明の実施の形態について図面を参照して説明すると、図１は本発明の実施形態例に係る弾球遊技機の遊技盤を示す正面図、図２は該遊技盤の要部を示す縦断面図、図３は該遊技盤の要部を示す横断面図、図４は該遊技盤に備えられるワープ機構の説明図である。
【００１２】
本実施形態例に係る弾球遊技機は、遊技場の島設備に設置される矩形枠状の機枠と、機枠に扉状に開閉自在に取り付けられた遊技機本体となる前面枠と、前面枠の前側に扉状に開閉自在に取り付けられたガラス枠と、前面枠の下方に配設された遊技球を貯留する受皿と、受皿に貯留した遊技球を発射する発射ハンドル等（いずれも図示せず）を具備しており、図１に示す遊技盤１が前面枠に収納されてガラス枠で覆われている。
【００１３】
この遊技盤１はアクリル樹脂等の透明材料からなり、遊技盤１の裏面側には隙間Ｓを介して液晶表示装置（ＬＣＤ）２が対向配置されている。遊技盤１の前面にはガイドレール３等で囲まれた遊技領域４が形成されており、前記発射ハンドルが遊技者によって回動操作されると、図示せぬ発射装置から発射通路４ａを介して遊技領域４に対して遊技球が連続的に打ち出されるようになっている。遊技領域４は前記ガラス枠に取り付けられた透明ガラス５と対向しており、この透明ガラス５を透して遊技領域４が視認できるようになっている。
【００１４】
遊技領域４の中央部には段落状の表示エリア６が設けられており、この表示エリア６を透して液晶表示装置２に表示される変動図柄等の主要部分が目視される。表示エリア６の両側部と上部には突壁６ａが形成されており、この突壁６ａによって遊技領域４を流下する遊技球が表示エリア６に進入しないようにしている。また、表示エリア６の下部には左右方向へ延びるステージ７が設けられており、このステージ７の下方に始動入賞口８とアタッカー９が配設されている。ステージ７は遊技球の入賞経路となる部位であり、ステージ７の中央部には遊技球を始動入賞口８に導く導入孔７ａが形成されている。アタッカー９は始動入賞口８に遊技球が入賞したことを契機に行われる抽選結果に基づいて開閉動作され、その抽選結果が大当たりの場合、液晶表示装置２の変動表示を例えば「７７７」のように特定の図柄や複数図柄の組合せで停止させると共に、アタッカー９を例えば１５回開放動作する。アタッカー９は１回の開放について例えば３０秒通過するまで、あるいは遊技球が例えば１０個入賞するまで開放状態を維持し、かかる開放動作を１５回繰り返したのちに大当たりが終了する。
【００１５】
図１に示すように、遊技領域４におけるステージ７の図示左斜め上方にはワープ入口１０が開設されると共に、ステージ７の図示右端部下方にはワープ出口１１が設けられている。ワープ入口１０は遊技領域４を流下する遊技球を遊技盤１の裏面側に存在する前記隙間Ｓに取り込むための開口であり、この隙間Ｓ内にはワープ入口１０からステージ７の裏面側を斜めに横切ってワープ出口１１まで達するガイド通路１２が配設され、これらワープ入口１０とガイド通路１２およびワープ入口１０によってワープ機構が構成されている。
【００１６】
ガイド通路１２はアクリル樹脂等の透明材料で成形されたパイプ状部材であり、このガイド通路１２はステージ７の裏面側を通過した付近で大きく捻られて遊技盤１の前面側へ突出し、この突出部分が排出筒部１２ａとなっている。排出筒部１２ａは遊技盤１の前面からステージ７に向かって湾曲状に突出しており、この排出筒部１２ａの先端にワープ出口１１が形成されている。図２と図３に示すように、排出筒部１２ａの底面にはワープ出口１１から飛び出なかった遊技球の排出孔１２ｂが開設されており、この排出孔１２ｂはガイド通路１２の中で鉛直方向の最下端に位置している。なお、ガイド通路１２を構成するパイプの内径は遊技球の直径以上かつ直径の２倍未満で、１球ごとに通過させるようにすると好適である。また、ワープ出口１１に遊技球が飛び出す勢いを減衰させる弁を設けたり、遊技球の飛び出し方向を規制する規制片を設けても良い。
【００１７】
ガイド通路１２はワープ入口１０に取り込まれた遊技球をワープ出口１１まで導くメイン通路であるが、本実施形態例の場合、ワープ入口１０に取り込まれた遊技球をワープ出口１１とは別の排出口１３へ導くサブ通路１４が設けられており、これらガイド通路１２（メイン通路）とサブ通路１４の分岐箇所に振り分け装置１５が配設されている。排出口１３は遊技領域４におけるステージ７の図示左端部近傍に開設されており、サブ通路１４はワープ入口１０から隙間Ｓ内を下方へ延びて排出口１３まで達している。したがって、ワープ入口１０に取り込まれてサブ通路１４へ誘導された遊技球は、排出口１３から遊技盤１の前面側へ飛び出して遊技領域４を流下する。図４に示すように、振り分け装置１５は中央に貫通孔１５ａを有する回転体からなり、ワープ入口１０に取り込まれた遊技球は、貫通孔１５ａがサブ通路１４に正対しているときだけサブ通路１４へ誘導されるが、それ以外はガイド通路１２からワープ出口１１へと誘導されるようになっている。
【００１８】
上述の如く構成された本実施形態例に係る弾球遊技機は、遊技盤１の遊技領域４に打ち出された遊技球をステージ７へ誘導するワープ機構が、ステージ７より上部に設けられたワープ入口１０と、ステージ７より下部に設けられたワープ出口１１と、これらワープ入口１０とワープ出口１１を連通するガイド通路１２とを有し、このガイド通路１２がステージ７の裏面側を横切るように遊技盤１の裏面側の隙間Ｓ内に設けられているので、ステージ７より上部のワープ入口１０に取り込まれた遊技球をステージ７より下部のワープ出口１１まで誘導する間に、隙間Ｓ内に配設された全長の長いガイド通路１２を通過することで遊技球に十分な加速度が付与される。したがって、ガイド通路１２の排出筒部１２ａを通過した遊技球は、ワープ出口１１から勢い良く上方へ飛び出してステージ７に乗り上げることとなり、ステージ７に乗り上げる遊技球に今までにない斬新な動きを与えることができる。しかも、遊技盤１とガイド通路１２が共に透明材料からなり、ワープ入口１０からガイド通路１２を通ってワープ出口１１に至る遊技球の動きが目視できるため、ステージ７に乗り上げる遊技球の斬新な動きと相俟って興趣性の高い弾球遊技機を実現することができる。
【００１９】
また、ガイド通路１２は遊技盤１の前面からステージ７に向かって湾曲状に突出する排出筒部１２ａを有しており、この排出筒部１２ａの先端にワープ出口１１が設けられると共に、排出筒部１２ａの底面の最下端位置に排出孔１２ｂが開設されているため、ワープ出口１１から飛び出した遊技球が他の遊技球に衝突してガイド通路１２に逆戻りして失速した場合や、ガイド通路１２を通過する遊技球に何らかの要因で十分な加速度が付与されずに失速した場合でも、このような遊技球は排出孔１２ｂから遊技盤１の前面に排出されることになり、失速した遊技球がガイド通路１２内で球詰まりしてしまうことを確実に防止できる。なお、ガイド通路１２を通過する遊技球に十分な加速度が付与されている場合、この遊技球は排出孔１２ｂより外方に位置する排出筒部１２ａの内周面を転動しながらワープ出口１１へと誘導されるため、通常の使用状態では排出孔１２ｂによって遊技球の転動が妨げられることはない。
【００２０】
また、本実施形態例に係る弾球遊技機では、ワープ入口１０に取り込まれた遊技球をワープ出口１１まで導くメイン通路として機能するガイド通路１２の他に、ワープ入口１０に取り込まれた遊技球をワープ出口１１と別の排出口１３へ導くサブ通路１４が設けられており、これらガイド通路１２（メイン通路）とサブ通路１４の分岐箇所に振り分け装置１５が配設されているので、ワープ入口１０に取り込まれた遊技球が振り分け装置１５でガイド通路１２とサブ通路１４に振り分けられる様子や、ガイド通路１２に振り分けられた遊技球がワープ出口１１からステージ７に向かって飛び出す様子を目視することができ、遊技者に与える退屈感を軽減することができる。ただし、このようなサブ通路１４と振り分け装置１５を省略しても良く、この場合、ワープ入口１０に取り込まれた遊技球の全てがガイド通路１２に誘導されてワープ出口１１からステージ７に向けて飛び出すことになる。
【図面の簡単な説明】
【００２１】
【図１】本発明の実施形態例に係る弾球遊技機の遊技盤を示す正面図である。
【図２】該遊技盤の要部を示す縦断面図である。
【図３】該遊技盤の要部を示す横断面図である。
【図４】該遊技盤に備えられるワープ機構の説明図である。
【符号の説明】
【００２２】
１  遊技盤
２  液晶表示装置
４  遊技領域
６  表示エリア
７  ステージ
８  始動入賞口
１０  ワープ入口
１１  ワープ出口
１２  ガイド通路
１２ａ  排出筒部
１２ｂ  排出孔
１３  排出口
１４  サブ通路
１５  振り分け装置
１５ａ  貫通孔
Ｓ  隙間
【図１】
2008295856.tif 000003
【図２】
2008295856.tif 000004
【図３】
2008295856.tif 000005
【図４】
2008295856.tif 000006